(57)【特許請求の範囲】
【請求項１】
商品を包装するラップフィルム上に貼着するラップフィルム開封機能付ラベルであって、
前記ラップフィルム開封機能付ラベルは、容易に裂断する易裂方向と裂断し難い難裂方向とを有する異方性シートからなる合成樹脂製のシート層と、前記シート層の裏面側に設けられた粘着剤層と、前記粘着剤層によって前記ラップフィルムに貼着する貼着領域と、前記シート層に非粘着処理を施すことで設けられ側辺を前記易裂方向に沿って形成した摘まみ部と、を有するとともに、
前記摘まみ部の側辺の延長線上を境界として前記シート層内の前記摘まみ部の内側に所定の長さで形成され、前記摘まみ部の方向以外の３方向が全て前記貼着領域で囲われた非貼着領域を備え、
前記摘まみ部を引くことにより、前記摘まみ部の終端を起点として前記貼着領域と前記非粘着領域との間で前記シート層を裂断し、次いでこの裂断線を起点として前記非粘着領域の終端に位置する貼着領域の前記シート層と、前記貼着領域に貼着した前記ラップフィルムとを、前記シート層の貼着領域が前記ラップフィルの延伸性を阻害しながら、共に裂断することを特徴とするラップフィルム開封機能付ラベル。
【請求項２】
シート層の表面側に印刷物を有し、
貼着するラップフィルムの易裂方向を把握した上で、
摘まみ部の側辺がラップフィルムの易裂方向となるように前記摘まみ部を形成するとともに、前記ラップフィルムの易裂方向に応じて前記印刷物形成時の印刷方向を設定することを特徴とする請求項１に記載のラップフィルム開封機能付ラベル。
【請求項３】
摘まみ部を、シート層の側辺から内側に形成された切欠き部で形成することを特徴とする請求項１または請求項２に記載のラップフィルム開封機能付ラベル。
【請求項４】
摘まみ部を、シート層の側辺から所定の間隔を取って内側に形成したことを特徴とする請求項１または請求項２に記載のラップフィルム開封機能付ラベル。
【請求項５】
摘まみ部の側辺に貼着領域と繋がる剥離防止片を有することを特徴とする請求項３または請求項４に記載のラップフィルム開封機能付ラベル。
【請求項６】
シート層が、基層と、前記基層の上下に配された表層とからなり、前記基層は長尺短尺方向に延伸されるとともに前記表層は短尺方向に延伸されてシート化され、前記表層には短尺方向への延伸時に生じる短尺方向に長い微細空隙を備え、前記微細空隙によって短尺方向に容易に裂断する易裂方向が形成されるとともに、前記摘まみ部の側辺を前記易裂方向に沿って形成することを特徴とする請求項１乃至請求項５のいずれかに記載のラップフィルム開封機能付ラベル。
【発明の詳細な説明】
【技術分野】
【０００１】
本発明は、商品を包装するラップフィルムに貼着するラベルに関し、特にラップフィルムを裂断し開封端を形成するラップフィルム開封機能付ラベルに関するものである。
【背景技術】
【０００２】
従来から、発泡スチロールやプラスチック、紙などのトレーに食品等の商品を載せ、上方から透明のラップフィルムを被せた上で、裏面側で内容表示ラベルの貼着やラップフィルムの特性である密着性の良さを利用して固定した包装形態が一般的に行われている。この包装形態は、生鮮食料品のみならず、ハム、ソーセージ等の加工食品、ヨーグルト、プリン等のデザート類、これら商品の複数パック詰め商品、また透明なプラスチック製の蓋を被せてラップフィルムで包装し、惣菜類、弁当、洋菓子、和菓子等の多くの商品で採用されている。そして、これらの包装形態では包装したラップフィルム上に、商品名等を印刷したラベルを貼着することが一般的に行われている。
【０００３】
しかしながら、このラップフィルムはある程度の強度と延伸性とを有するため、商品を購入した開封者が容易に破くことができず開封時にストレスを感じるという問題点がある。この問題点に関し下記［特許文献１］には、開封ラベルをラップフィルムに貼着し、この開封ラベルを左右に引っ張ることでラップフィルムを破く発明が開示されている。
【先行技術文献】
【特許文献】
【０００４】
【特許文献１】特開２０１１−１６５６９号公報
【発明の概要】
【発明が解決しようとする課題】
【０００５】
しかしながら、ラップフィルムは延伸性を有するため［特許文献１］に記載の発明のように単純に開封ラベルを貼着し引っ張るだけでは、ラップフィルムが塑性変形の限界まで延伸し、破れるまでにはある程度の力を要するという問題点がある。
【０００６】
本発明は上記事情に鑑みてなされたものであり、ラップフィルムの延伸性を阻止して簡単かつ楽にラップフィルムを開封することが可能なラップフィルム開封機能付ラベルを提供することを目的とする。
【課題を解決するための手段】
【０００７】
本発明は、
（１）商品１を包装するラップフィルム１０上に貼着するラップフィルム開封機能付ラベルであって、
前記ラップフィルム開封機能付ラベルは、容易に裂断する易裂方向と裂断し難い難裂方向とを有する異方性シートからなる合成樹脂製のシート層２２と、前記シート層２２の裏面側に設けられた粘着剤層２０と、前記粘着剤層２０によって前記ラップフィルム１０に貼着する貼着領域３４と、前記シート層２２に非粘着処理を施すことで設けられ側辺を前記易裂方向に沿って形成した摘まみ部３０と、を有するとともに、
前記摘まみ部３０の側辺の延長線上を境界として前記シート層２２内の前記摘まみ部３０の内側に所定の長さで形成され、前記摘まみ部３０の方向以外の３方向が全て前記貼着領域３４で囲われた非貼着領域３２を備え、
前記摘まみ部３０を引くことにより、前記摘まみ部３０の終端Ｐを起点として前記貼着領域３４と前記非粘着領域３２との間で前記シート層２２を裂断し、次いでこの裂断線を起点として前記非粘着領域３２の終端Ｑに位置する貼着領域３４の前記シート層２２と、前記貼着領域３４に貼着した前記ラップフィルム１０とを、前記シート層２２の貼着領域３４が前記ラップフィル１０の延伸性を阻害しながら、共に裂断することを特徴とするラップフィルム開封機能付ラベル９０を提供することにより、上記課題を解決する。
（２）シート層２２の表面側に印刷物Ａを有し、貼着するラップフィルム１０の易裂方向を把握した上で、摘まみ部３０の側辺がラップフィルム１０の易裂方向となるように前記摘まみ部３０を形成するとともに、前記ラップフィルム１０の易裂方向に応じて前記印刷物形成時の印刷方向を設定することを特徴とする上記（１）に記載のラップフィルム開封機能付ラベル９０を提供することにより、上記課題を解決する。
（３）摘まみ部３０を、シート層２２の側辺から内側に形成された切欠き部３６で形成することを特徴とする上記（１）または（２）に記載のラップフィルム開封機能付ラベル９０を提供することにより、上記課題を解決する。
（４）摘まみ部３０を、シート層２２の側辺から所定の間隔を取って内側に形成したことを特徴とする上記（１）または（２）に記載のラップフィルム開封機能付ラベル９０を提供することにより、上記課題を解決する。
（５）摘まみ部３０の側辺に貼着領域３４と繋がる剥離防止片３７を有することを特徴とする上記（３）または（４）に記載のラップフィルム開封機能付ラベル９０を提供することにより、上記課題を解決する。
（６）シート層２２が、基層と、前記基層の上下に配された表層とからなり、前記基層は長尺短尺方向に延伸されるとともに前記表層は短尺方向に延伸されてシート化され、前記表層には短尺方向への延伸時に生じる短尺方向に長い微細空隙を備え、前記微細空隙によって短尺方向に容易に裂断する易裂方向が形成されるとともに、前記摘まみ部３０の側辺を前記易裂方向に沿って形成することを特徴とする上記（１）乃至（５）のいずれかに記載のラップフィルム開封機能付ラベル９０を提供することにより、上記課題を解決する。
【発明の効果】
【０００８】
本発明に係るラップフィルム開封機能付ラベルは、先ず摘まみ部を起点としてシート層を裂断し、次いでこの裂断線を起点として貼着領域に貼着したラップフィルムをシート層ごと裂断する。このとき、ラップフィルムには貼着領域が強固に貼着しているため、ラップフィルムの延伸性は阻止されラップフィルムはシート層とともに容易に裂断する。また、本発明に係るラップフィルム開封機能付ラベルは、摘まみ部及び非貼着領域の側辺をシート層及びラップフィルムの易裂方向となるように形成することで、さらに容易かつ楽にラップフィルムを裂断することができる。
【図面の簡単な説明】
【０００９】
【図１】本発明に係るラップフィルム開封機能付ラベルを示す図である。
【図２】本発明に係るラップフィルム開封機能付ラベルの模式断面図である。
【図３】本発明に係るラップフィルム開封機能付ラベルの摘まみ部の例を示す図である。
【図４】本発明に係るラップフィルム開封機能付ラベルの他の例を示す図である。
【図５】本発明に係るラップフィルム開封機能付ラベルの寸法を説明する図である。
【図６】本発明に係るラップフィルム開封機能付ラベルの方向性を説明する図である。
【図７】本発明に係るラップフィルム開封機能付ラベルの使用方法を説明する図である。
【図８】本発明に係るラップフィルム開封機能付ラベルの使用方法を説明する図である。
【図９】本発明に係るラップフィルム開封機能付ラベルの製造方法を説明する図である。
【発明を実施するための形態】
【００１０】
本発明に係るラップフィルム開封機能付ラベルの実施の形態について図面に基づいて説明する。図１は、本発明に係るラップフィルム開封機能付ラベルの一例を示す上面図であり、図２（ａ）、（ｂ）、（ｃ）は、ラップフィルムに貼着した状態における図１（ｂ）のＸ−Ｘ線、Ｙ−Ｙ線、Ｚ−Ｚ線での模式断面図である。尚、ここでは主に印刷物Ａが印刷された商品ラベルとしてのラップフィルム開封機能付ラベル９０を例に説明を行うが、本願はこれに限定されるわけではなく、ラップフィルム１０の開封のみを目的とした開封ラベルにも適用が可能である。
【００１１】
本発明に係るラップフィルム開封機能付ラベル９０は、図１、図２に示すように、合成樹脂製のシート層２２と、このシート層２２の裏面側に設けられた粘着剤層２０と、を有している。また、ラップフィルム開封機能付ラベル９０には摘まみ部３０が形成され、この摘まみ部３０の内側、即ち、摘まみ部３０の終端Ｐの延長線上のシート層２２には非貼着領域３２が終端Ｑまで所定の長さで形成される。また、ラップフィルム開封機能付ラベル９０が商品ラベルの場合には、シート層２２の表面側に印刷物Ａが印刷形成される。尚、図１（ａ）は摘まみ部３０をラップフィルム開封機能付ラベル９０の側辺（外周）から突出して形成した例を示し、図１（ｂ）はラップフィルム開封機能付ラベル９０の側辺（外周）から内側に向けて切欠き部３６を２本形成し、この切欠き部３６によって摘まみ部３０を形成した例を示している。
【００１２】
また、摘まみ部３０、非貼着領域３２部分の粘着剤層２０には非粘着処理が施され、図２に示すように糊殺し層２４が形成される。これにより、ラップフィルム開封機能付ラベル９０は非粘着処理の施されていない貼着領域３４が粘着剤層２０を介してラップフィルム１０に貼着し、非粘着処理の施された摘まみ部３０、非貼着領域３２部分はラップフィルム１０には貼着しない。尚、糊殺し層２４は、シリコン含有ニス等の周知の離形材を摘まみ部３０、非貼着領域３２の部位に印刷塗布することで形成することが好ましい。
【００１３】
ラップフィルム開封機能付ラベル９０の外形形状には特に限定はなく、矩形、角丸四角形、楕円形等の一般的なラベル形状の他、発注者の要望や商品に応じた様々なデザインとすることができる。また、摘まみ部３０の形状にも特に限定はないが、開封者が摘まみ易い半楕円もしくは角丸四角形とすることが好ましい。ただし、摘まみ部３０の両側辺とラップフィルム開封機能付ラベル９０の外周とのなす角θは、図３（ａ）〜（ｄ）に示すように、直角とすることが好ましい。
【００１４】
尚、図３（ａ）、（ｂ）は図１（ａ）と同様に、摘まみ部３０をラップフィルム開封機能付ラベル９０の外周から突出して形成した例を示している。また、図３（ｃ）は図１（ｂ）と同様に、シート層２２の側辺、即ちラップフィルム開封機能付ラベル９０の外周から内側に向けて切欠き部３６を２本形成し、この切欠き部３６によって摘まみ部３０を形成した例を示している。尚、ラップフィルム開封機能付ラベル９０の摘まみ部３０は、図３（ｄ）に示すように、２本の切欠き部３６によって摘まみ部３０の本体を形成するとともに、摘まみ部３０の先端部分を若干、ラップフィルム開封機能付ラベル９０の外周から突出するように形成しても良い。尚、図３（ａ）、（ｂ）の構成では、摘まみ部３０が突出しているため、開封者が容易に摘まみ部３０を摘まむことができる。また、図３（ｃ）の構成によれば、摘まみ部３０がラップフィルム開封機能付ラベル９０の外周よりも内側に存在するため、商品の輸送時や陳列時における摘まみ部３０の折れ曲がりや破れ等を防止することができる。また、ラップフィルム開封機能付ラベル９０を製造する際のシート材の余白部分を削減でき、取り個数の向上と材料コストの抵減とを図ることができる。また、図３（ｄ）の構成によれば、双方の利点を兼ね備えたラップフィルム開封機能付ラベル９０を得ることができる。
【００１５】
またさらに、ラップフィルム開封機能付ラベル９０は、図３（ｅ）に示すように、切欠き部３６で構成した摘まみ部３０の側辺の一部に貼着領域３４と繋がった剥離防止片３７を設けても良い。この構成によれば、剥離防止片３７が摘まみ部３０の浮き上がりを防止して、前述の商品の輸送時や陳列時における摘まみ部３０の折れ曲がりや破れ等を更に防止、抑制することができる。尚、この剥離防止片３７は開封者が摘まみ部３０を摘まんで持ち上げることで容易に裂断する。またさらに、ラップフィルム開封機能付ラベル９０は、図３（ｆ）に示すように、摘まみ部３０をラップフィルム開封機能付ラベル９０の側辺から所定の間隔を取った内側に形成しても良い。この構成によれば商品の輸送時や陳列時における摘まみ部３０の折れ曲がりや破れ等を防止できることに加え、貼着領域３４が摘まみ部３０及び非貼着領域３２の四方に存在するため、貼着領域３４によるラップフィルム１０の貼着保持をさらに効果的に行うことができる。
【００１６】
ラップフィルム開封機能付ラベル９０を構成する粘着剤層２０は周知の粘着剤を用いることが可能で、中でもＣＨＲ（ホモポリマー）系の水系アクリルエマルジョン粘着剤を用いることが好ましい。また、粘着剤層２０は強粘着性のものを用いることが好ましく、その粘着力としてはＪＩＳ  Ｚ０２３７に準ずる試験方法で、プラスチック板に対する粘着力が界面破壊の数値で７．６Ｎ／２５ｍｍ程度（６．６Ｎ／２５ｍｍ〜８．６Ｎ／２５ｍｍ）、ステンレス板に対する粘着力が界面破壊の数値で１０．８Ｎ／２５ｍｍ程度（９．８Ｎ／２５ｍｍ〜１１．８Ｎ／２５ｍｍ）のものを用いることが特に好ましい。そして、この粘着剤層２０によりシート層２２とラップフィルム１０とは強い力で粘着して一体化し、ラップフィルム１０の延伸性を阻害する。これにより、ラップフィルム１０は自由な伸び縮みができなくなり、延伸性を発揮することなくシート層２２の裂断時と略同等の弱い力で簡単に裂断する。
【００１７】
また、ラップフィルム開封機能付ラベル９０を構成するシート層２２は、周知の合成樹脂製のシート材を用いることができる。尚、シート層２２に印刷物Ａを形成する場合には、一般的な印刷手法により印刷物Ａの印刷が可能なシート層２２を用いる。
【００１８】
また、このシート層２２は、容易に裂断する易裂方向と、裂断し難い難裂方向とを有する異方性シートを用いる。尚、多くの合成樹脂製のシートは合成樹脂スラリを延伸して形成され、この延伸時の方向及び強弱によって易裂方向と難裂方向とが形成される。この製造方法は一般的なラップフィルム１０にも用いられ、よって多くのラップフィルム１０にも上記の異方性が存在する。尚、この異方性は合成樹脂膜をある程度加熱した状態で一方向に延伸したときに、分子が延伸方向に配列し強度が増すためと考えられ、ラップフィルム１０を含む多くの合成樹脂製シートでは一般的に短尺方向が易裂方向となる。
【００１９】
そして、シート層２２に異方性シートを用い、図１に示すように、ラップフィルム開封機能付ラベル９０の摘まみ部３０の側辺と非貼着領域３２の側辺とが易裂方向となるように形成する。尚、図１中の黒矢印がシート層２２の易裂方向を示す。これにより、摘まみ部３０を摘まんで引っ張る引き裂き方向がシート層２２の易裂方向となる。このため、摘まみ部３０を引き裂き方向に引いた時に、シート層２２は摘まみ部３０の終端Ｐを起点として容易に裂断する。
【００２０】
尚、シート層２２に異方性の傾向が弱いシート材を用いる場合には、図４（ａ）、（ｂ）に示すように、摘まみ部３０の終端部に、摘まみ部３０の側辺に沿った切り込み３８、もしくは非貼着領域３２の両側辺に沿った切り取り線３８’を設けることが好ましい。この構成によれば、異方性の傾向が弱いシート材を用いた場合でも、シート層２２を引き裂き方向に簡単に裂断することができる。ただし、この場合には、摘まみ部３０の側辺がラップフィルム１０の易裂方向となるようにラップフィルム開封機能付ラベル９０を形成することが好ましい。このことに関しては後に詳述する。
【００２１】
次に、本発明のシート層２２に特に好適なシート材の構成を簡単に説明する。本発明に好適なシート材はポリプロピレン樹脂を主成分とし、基層と、この基層の上下に形成された２つの表層の３層で構成される。そして、本発明に好適なシート材は、基層が縦方向（長尺方向）に延伸された後、基層の上下面に表層が成膜され、基層とともに横方向（短尺方向）に延伸されてシート化される。よって、基層は長尺短尺の両方向に延伸され、上下表層は短尺方向にのみ延伸される。また、延伸前の基層、表層は微細な空隙を有し、この空隙も延伸方向に引き伸ばされる。よって、特に上下表層の空隙は短尺方向にのみ延伸され、短尺方向に細長い微細空隙となる。この短尺方向に長い微細空隙の存在によってシート材の短尺方向は容易に裂断する易裂方向となる。そして、この本発明に好適なシート材では、易裂方向である短尺方向に摘まみ部３０及び非貼着領域３２の側辺が沿うようにラップフィルム開封機能付ラベル９０を形成する。
【００２２】
また、本発明に係るラップフィルム開封機能付ラベル９０は、シート層２２の貼着領域３４をラップフィルム１０に強固に貼着して一体化し、摘まみ部３０及び非貼着領域３２から延びる裂断線を起点として貼着領域３４に貼着したラップフィルム１０をシート層２２ごと裂断するものである。よって、貼着領域３４にはある程度の面積が必要となる。ここで、図５を用いて、貼着領域３４の好ましい寸法を説明する。尚、図５は本発明に係るラップフィルム開封機能付ラベル９０を開封ラベルに適用した図である。貼着領域３４の好ましい寸法としては、非貼着領域３２の両側方の貼着領域３４の幅Ｌ１を１５ｍｍ以上とする。また、好ましくは引き裂き方向における非貼着領域３２の終端Ｑからラップフィルム開封機能付ラベル９０の外周までの長さＬ２を３０ｍｍ以上とする。この寸法程度の貼着領域３４を有していれば、ラップフィルム１０の保持に十分な面積を確保することが可能となり、ラップフィルム１０の延伸性を阻止してラップフィルム１０をシート層２２とともに容易に裂断することができる。尚、この寸法値は、商品ラベルとしてのラップフィルム開封機能付ラベル９０においても同様である。
【００２３】
また、本発明に係るラップフィルム開封機能付ラベル９０は、摘まみ部３０及び非貼着領域３２の側辺をシート層２２の易裂方向に沿って形成することに加え、貼着先であるラップフィルム１０の易裂方向にも沿うように形成することが好ましい。ただし、ラップフィルム１０による商品１の包装及びラベルの貼着は納品先で行われる場合が多い。従って、商品を包装したラップフィルム１０の易裂方向と、納品先でのラベルの貼着方向とを予め把握しておき、摘まみ部３０及び非貼着領域３２の側辺がラップフィルム１０の易裂方向とも同じとなるようにラップフィルム開封機能付ラベル９０を形成することが好ましい。
【００２４】
ここで、図６に示すような印刷物Ａを有するラップフィルム開封機能付ラベル９０を製造すると仮定する。そして、例えば商品包装時のラップフィルム１０の易裂方向が、図６（ａ）の白抜き矢印の方向の場合、摘まみ部３０及び非貼着領域３２の側辺がこのラップフィルム１０の易裂方向、即ち商品１の短尺方向となるように印刷物Ａの方向を設定する。このとき、図６中の黒矢印に示すシート層２２の易裂方向もラップフィルム１０の易裂方向と同じとする。よって、シート層２２の易裂方向がシート材の短尺方向の場合、ラップフィルム開封機能付ラベル９０の印刷方向は、図６（ｂ）に示す方向となる。また、商品包装時のラップフィルム１０の易裂方向が、図６（ｃ）の白抜き矢印の方向の場合、摘まみ部３０及び非貼着領域３２の側辺がこのラップフィルム１０の易裂方向、即ち商品１の長尺方向となるように印刷物Ａの方向を設定する。このとき、図６中の黒矢印に示すシート層２２の易裂方向もラップフィルム１０の易裂方向と同じとする。よって、シート層２２の易裂方向がシート材の短尺方向の場合、ラップフィルム開封機能付ラベル９０の印刷方向は、図６（ｄ）に示す方向となる。尚、摘まみ部３０はラップフィルム開封機能付ラベル９０の印刷物Ａのデザイン性を損なわないよう、図６に示すように、印刷物ａの絵柄に沿って形成することが好ましい。
【００２５】
次に、本発明に係るラップフィルム開封機能付ラベル９０の使用方法を説明する。尚、ここでは摘まみ部３０が突出したラップフィルム開封機能付ラベル９０を例に説明を行うが、この使用方法は図３、図４等に示す他の摘まみ部３０形状のラップフィルム開封機能付ラベル９０でも同様である。
【００２６】
先ず、ラップフィルム開封機能付ラベル９０は、図７（ａ）に示すように、商品１を包装したラップフィルム１０に貼着された状態にある。尚、ラップフィルム開封機能付ラベル９０は貼着領域３４の粘着剤層２０がラップフィルム１０に貼着し、摘まみ部３０、非貼着領域３２は糊殺し層２４の存在によりラップフィルム１０には貼着しない。
【００２７】
次に、図７（ｂ）に示すように、開封者が摘まみ部３０を引き裂き方向に引く。これにより、摘まみ部３０の終端Ｐを起点として貼着領域３４と非粘着領域３２との境界でシート層２２が裂断する。尚、摘まみ部３０の引き裂き方向はシート層２２の易裂方向であるため、シート層２２は貼着領域３４と非粘着領域３２との間で容易に裂断する。
【００２８】
開封者が摘まみ部３０さらに引くと、図８（ａ）に示すように、終端Ｐを起点とした裂断線は非粘着領域３２の終端Ｑに到達する。そして、開封者が摘まみ部３０さらに引くと、図８（ｂ）に示すように、終端Ｑに位置する貼着領域３４のシート層２２が貼着領域３４と非粘着領域３２との間の裂断線を起点に裂断する。このとき、貼着領域３４はラップフィルム１０を強固に貼着保持しているため、ラップフィルム１０の特徴である延伸性が阻止されて伸び縮みができずシート層２２とともに容易に裂断する。そして、さらに摘まみ部３０を引くことでラップフィルム１０の裂断は拡大し、これを開封端としてラップフィルム１０を楽に開封することができる。
【００２９】
次に、本発明のラップフィルム開封機能付ラベル９０の製造方法の一例を図９を用いて説明する。尚、ここでは印刷物Ａを有するラップフィルム開封機能付ラベル９０の製造方法を説明する。先ず、帯状のシート材９４が巻回された原反ロール９４ａをラベル製造装置１００に設置する。このシート材９４は、前述したシート層２２と、粘着剤層２０と、離形処理が施され粘着剤層２０の粘着面に仮貼着されたセパレータ２６と、を有している。そしてシート材９４は搬送ローラによってラベル製造装置１００の裏面印刷部４０に搬送される。裏面印刷部４０は、先ず搬送されたシート材９４のセパレータ２６を剥離する。次に裏面印刷機４４に搬送し、ここでシート材９４の粘着剤層２０にシリコン含有ニス等の周知の離形材を摘まみ部３０、非貼着領域３２の形状に印刷塗布する。これにより、摘まみ部３０、非貼着領域３２に相当する一部の粘着剤層２０に糊殺し層２４が形成される。次に、糊殺し層２４が形成された粘着剤層２０に、前段で剥離したセパレータ２６を再度仮貼着する。次に、シート材９４は表面印刷機４６に搬送され、ここでシート層２２の表面に所定の印刷物Ａが印刷形成される。尚、多色印刷等の場合には、この表面印刷機４６は複数台設置される。表面印刷が行われたシート材９４は打ち抜き機４８に搬送され、摘まみ部３０を備えた所定のラップフィルム開封機能付ラベル９０の形状に打ち抜かれる。このとき、セパレータ２６に対しては打ち抜きが行われず、ラップフィルム開封機能付ラベル９０はセパレータ２６上に担持される。打ち抜きの行われたシート材９４は周囲の不要な余白部分のシート層２２’が剥離除去され巻き取られる。これにより、セパレータ２６上に複数のラップフィルム開封機能付ラベル９０が担持されたラベルロール９２が完成する。そして、このラベルロール９２は例えば受注元に納品され、前述のように商品１を包装したラップフィルム１０上に貼着される。
【００３０】
以上のように、本発明に係るラップフィルム開封機能付ラベル９０は、摘まみ部３０の終端Ｐを起点として先ずシート層２２を裂断し、次いで非粘着領域３２の終端Ｑにおいてシート層２２の裂断線を起点（切り口）とし、ラップフィルム１０を貼着領域３４のシート層２２ごと裂断する。このとき、ラップフィルム１０には貼着領域３４が強固に貼着して一体化されているため、ラップフィルム１０の延伸性は阻止されて塑性変形ができず、ラップフィルム１０はシート層２２とともに、シート層２２の裂断時と略同等の弱い力で容易に裂断する。
【００３１】
また、本発明に係るラップフィルム開封機能付ラベル９０は、シート層２２及びラップフィルム１０に存在する易裂方向と難裂方向とに着目し、摘まみ部３０及び非貼着領域３２の側辺がシート層２２及びラップフィルム１０の易裂方向となるように形成する。これにより、極めて容易かつ楽にシート層２２及びラップフィルム１０の裂断を行うことができる。
【００３２】
尚、本例で示したラップフィルム開封機能付ラベル９０の構成は一例であり、ラップフィルム開封機能付ラベル９０、摘まみ部３０等の各部の形状、寸法、各層の材質等は上記のものに限定されるものではない。さらに、本発明は本発明の要旨を逸脱しない範囲で変更して実施することが可能である。
【符号の説明】
【００３３】
１０    ラップフィルム
２０    粘着剤層
２２    シート層
３０    摘まみ部
３２    非貼着領域
３４    貼着領域
３６    切欠き部
３７    剥離防止片
９０    ラップフィルム開封機能付ラベル
Ａ      印刷物
Ｐ      （摘まみ部の）終端
Ｑ      （非粘着領域の）終端
【要約】      （修正有）【課題】ラップフィルムの延伸性を阻止して簡単かつ楽にラップフィルムを開封することが可能なラップフィルム開封機能付ラベルを提供する。【解決手段】このラップフィルム開封機能付ラベル９０は、先ず摘まみ部３０を起点としてシート層２２を裂断し、次いでこの裂断線を起点として貼着領域３４に貼着したラップフィルムをシート層ごと裂断する。このとき、ラップフィルムには貼着領域が強固に貼着しているため、ラップフィルムの延伸性は阻止されラップフィルムはシート層とともに容易に裂断する。摘まみ部及び非貼着領域３２の側辺をシート層及びラップフィルムの易裂方向となるように形成することで、さらに容易かつ楽にラップフィルムを裂断することができる。【選択図】図１【図１】
0005700612.tif 000002
【図２】
0005700612.tif 000003
【図３】
0005700612.tif 000004
【図４】
0005700612.tif 000005
【図５】
0005700612.tif 000006
【図６】
0005700612.tif 000007
【図７】
0005700612.tif 000008
【図８】
0005700612.tif 000009
【図９】
0005700612.tif 000010